(57)【特許請求の範囲】
【請求項１】
負荷と、該負荷の動作を制御する制御回路と、前記負荷及び前記制御回路に電源を供給する電源回路と、電源と前記電源回路の入力段との間に並列に接続された電源保持スイッチ及び電源「入」スイッチと、電源「切」スイッチと、該電源「切」スイッチから入力を受けて前記負荷に指令する制御手段と、電源保持信号を受けて前記電源保持スイッチをＯＮさせ、電源遮断信号を受けて前記電源保持スイッチをＯＦＦさせる手段と、前記電源「切」スイッチによって電源「切」信号を出力する手段とを有する電気機器において、
前記制御手段は、電源が供給され始めると、前記電源保持信号を出力し、また、前記電源「切」信号を受けると、当該電気機器の運転を停止させるように前記負荷の動作を制御する停止制御を行った後に、前記負荷の動作を制御する停止後制御を行い、更にその後、前記電源遮断信号を出力し、電源と前記電源回路の入力段とを遮断することを特徴とする電気機器。
【請求項２】
運転「切」スイッチと、該運転「切」スイッチによって運転停止信号を出力する手段とを有し、前記制御手段は、前記運転停止信号を受けると、前記停止制御を行った後に、前記停止後制御を行い、その後は、前記運転停止信号を受けたことにより前記電源遮断信号を出力しないことを特徴とする請求項１に記載の電気機器。
【発明の詳細な説明】
【０００１】
【発明の属する技術分野】
本発明は、運転を停止する際に負荷の動作を制御する必要がある電気機器に関するものである。
【０００２】
【従来の技術】
石油ファンヒータを例に挙げて従来の電気機器について説明する。図６は従来の石油ファンヒータのブロック図である。同図において、１は石油ファンヒータを構成する負荷群、２は負荷群１の動作を制御するマイクロコンピュータ（以下、「マイコン」と略記する）、３は負荷群１及びマイコン２に電源を供給する電源回路である。
【０００３】
電源回路３は以下に述べる構成となっている。商用交流電源１００から供給される交流電圧は、電源トランスＴにより変圧された上で、ダイオードブリッジＤにより直流電圧に変換される。次に、この変換により得られた直流電圧から第１定電圧発生回路ＣＶ１により安定した電圧Ｖ１が生成され、さらに、電圧Ｖ１から第２定電圧発生回路ＣＶ２により安定した電圧Ｖ２が生成される。この安定した電圧Ｖ１は負荷群１に、一方、安定した電圧Ｖ２はマイコン２に、それぞれ電源として供給される。
【０００４】
次に、運転スイッチＳＷは、この運転スイッチＳＷがＯＮすることにより、第２定電圧発生回路ＣＶ２で生成された電圧Ｖ２がマイコン２の入力端子Ｉへ入力されるように設けられている。尚、不図示の操作部に対してユーザが所定の操作を行うことにより、運転スイッチＳＷのＯＮ／ＯＦＦを切り換えることができるようになっている。
【０００５】
そして、マイコン２は、入力端子Ｉへ入力される電圧がハイレベル（電圧Ｖ２）になると、機器の運転を開始するように、一方、入力端子Ｉへ入力される電圧がハイレベルでなくなると、機器の運転を停止するように、それぞれ負荷群１の動作を制御する。したがって、運転スイッチＳＷは、運転を開始する指令及び運転を停止する指令を機器に入力するためのスイッチとなっている。
【０００６】
以下、マイコン２が行う制御内容について負荷群１の概略構造を示す図７及び図８を用いて説明する。機器の運転を開始するようにマイコン２が行う制御（以下、「運転開始制御」と呼ぶ）の内容は以下の通りである。まず、電磁ポンプ１０１、気化ヒータ１０２、及び、点火ヒータ１０３への通電を開始するとともに、ノズル１０４を開くようにソレノイドニードル１０５へ通電する。
【０００７】
これにより、オイルタンク１０６に溜まった灯油１０７が電磁ポンプ１によって汲み上げられ、送油パイプ１０８を介して気化器１０９の内部に送り込まれる。気化器１０９の内部では高温部を通過することにより灯油１０７が気化され、ノズル１０４がソレノイドニードル１０５によって開放されているので、気化ガス（気化された灯油１０７）がバーナ１１０に送り込まれ、バーナ１１０の上部に設置された点火ヒータ１０３によってバーナネットから放出される気化ガスに着火する。
【０００８】
次に、フレームセンサ１１１から送られてくる信号により、正常に着火したと判定すると、点火ヒータ１０３への通電を停止し、数秒後、対流送風機１１２への通電を開始する。これにより、バーナ１１０の炎により熱せられた暖かい空気が機外に導出され、運転状態となる。
【０００９】
一方、機器の運転を停止するようにマイコン２が行う制御（以下、「運転停止制御」と呼ぶ）の内容は以下の通りである。まず、電磁ポンプ１０１及び気化ヒータ１０２への通電を停止する。これにより、バーナ１１０の炎は消火され、運転停止状態となる。
【００１０】
次に、機器の内部の温度が余熱によって上昇するのを抑えるため、一定時間、対流送風機１１２への通電を続行し、機器の内部に風を対流させて温度を下げる必要がある。また、ノズル１０４を開放したままでは気化器１０９の内部に残った気化ガスがノズル１０４から噴出して悪臭の原因となるため、ノズル１０４を閉じるようにソレノイドニードル１０５へ通電する必要がある。
【００１１】
このように、電気機器によっては、機器の運転を停止する際に、一部の負荷（上記石油ファンヒータの例では、ソレノイドニードル１０５及び対流送風機１１２）については、通電を中止するのではなく、その動作を制御する必要があり、運転を停止するように指令が入力された（上記石油ファンヒータの例では、運転スイッチＳＷがＯＦＦされた）後であっても、一部の負荷、及び、その動作を制御する制御回路（上記石油ファンヒータの例では、マイコン２）には電源を供給しておかなければならないわけである。
【００１２】
そして、従来は、図６に示したように、運転を開始する指令及び運転を停止する指令を機器に入力するための運転スイッチＳＷを設けるだけであったので、上記運転停止制御を行うためには、その運転スイッチＳＷをマイコン２と電源回路３の出力段（第２定電圧発生回路ＣＶ２）との間に設ける必要があり（もし、電源１００と電源回路３の入力段（電源トランスＴ）との間に運転スイッチＳＷを設けると、運転スイッチＳＷがＯＦＦすると、負荷群１及びマイコン２への電源の供給が遮断されてしまって、上記運転停止制御を行うことはできない）、電源１００と電源回路３との間は常に導通状態となっていた。
【００１３】
【発明が解決しようとする課題】
したがって、従来は、電源トランスＴなどにて常に数ワット程度の電力が消費されることになり、待機時の消費電力が大きいという問題があった。また、負荷群１及びマイコン２にも常に電源が供給されているので、待機時であっても何らかの原因で動作することが考えられ、安全性に問題があった。
【００１４】
そこで、本発明は、運転を停止する際に負荷の動作を制御する必要がある電気機器であって、待機時の消費電力をゼロにするとともに、安全性を向上させた電気機器を提供することを目的とする。
【００１５】
【課題を解決するための手段】
上記の目的を達成するため、請求項１に記載の発明では、負荷と、該負荷の動作を制御する制御回路と、前記負荷及び前記制御回路に電源を供給する電源回路と、電源と前記電源回路の入力段との間に並列に接続された電源保持スイッチ及び電源「入」スイッチと、電源「切」スイッチと、該電源「切」スイッチから入力を受けて前記負荷に指令する制御手段と、電源保持信号を受けて前記電源保持スイッチをＯＮさせ、電源遮断信号を受けて前記電源保持スイッチをＯＦＦさせる手段と、前記電源「切」スイッチによって電源「切」信号を出力する手段とを有する電気機器において、前記制御手段は、電源が供給され始めると、前記電源保持信号を出力し、また、前記電源「切」信号を受けると、当該電気機器の運転を停止させるように前記負荷の動作を制御する停止制御を行った後に、前記負荷の動作を制御する停止後制御を行い、更にその後、前記電源遮断信号を出力し、電源と前記電源回路の入力段とを遮断するようにしている。
【００１６】
以上の構成により、電源「入」スイッチがＯＮすると、電源と電源回路の入力段との間が導通状態となり、当該電気機器へ電源が供給され始めて、電源保持スイッチがＯＮとなるので、電源と電源回路の入力段との間は導通状態で維持され、当該電気機器への電源の供給が続行される。また、電源「切」スイッチを操作することによって、運転が停止し、その後、電源保持スイッチがＯＦＦとなるので、電源と電源回路の入力段との間が非導通状態となり、電気機器への電源の供給が遮断される。
【００１７】
また、請求項１に記載の発明である電気機器において、前記電源「入」スイッチと前記電源「切」スイッチのＯＮ／ＯＦＦを切り換えるための操作部を共用にしてもよい。
【００１８】
以上の構成により、操作パネルをコンパクトにまとめることができ、また、ユーザからみれば、１つの操作部で運転を開始することもできるし、運転を停止することもできる。
【００１９】
また、請求項２に記載の発明では、請求項１に記載の発明である電気機器において、運転「切」スイッチと、該運転「切」スイッチによって運転停止信号を出力する手段とを有し、前記制御手段は、前記運転停止信号を受けると、前記停止制御を行った後に、前記停止後制御を行い、その後は、前記運転停止信号を受けたことにより前記電源遮断信号を出力しないようにしている。
【００２０】
以上の構成により、運転「切」スイッチを操作することによって、機器の運転が停止するが、電源「切」スイッチを操作することによって、機器の運転が停止したときとは異なり、その後に、電源保持スイッチがＯＦＦとならないことから、電源と電源回路の入力段との間は導通状態で維持され、電気機器へ電源の供給が続行されているので、例えば、時刻や温度などを表示する機能を待機中にアクティブにすることができる。
【００２１】
また、請求項２に記載の発明である電気機器において、前記制御手段が、前記運転「切」信号を受けた回数をカウントし、そのカウント値によっては、当該電気機器の運転モードを切り換えるように制御するようにしてもよい。
【００２２】
以上の構成により、運転モードを切り換えるための操作部を省略することができるので、操作パネルをよりコンパクトにすることができ、また、一般的に運転「切」スイッチの操作部は他の操作部より大きいので、運転モード切り換えの操作性が向上する。
【００２３】
また、上記記載の電気機器が石油ファンヒータである場合に、切り換えられる運転モードを通常の運転モードとエネルギーの消費量が少ない省エネ運転モードとしてもよい。
【００２４】
以上の構成により、省エネ運転モードの設定操作が簡略化され、また、運転を停止させる際には省エネ運転モードを必ず通過するようにすることができる。
【００２５】
【発明の実施の形態】
以下に、本発明の実施形態を図面を参照しながら説明する。図１は本発明の第１実施形態である石油ファンヒータのブロック図である。同図において、２−１は負荷群１の動作を制御するマイコン、３−１は負荷群１及びマイコン２−１に電源を供給する電源回路である。尚、電源回路３−１については図６に示した従来の石油ファンヒータにおける電源回路３と同一部分には同一符号を付して説明を省略する。また、マイコン２−１が行う運転開始制御及び運転停止制御の内容についても図６に示した従来の石油ファンヒータにおけるマイコン２が行うものと同一であるので説明を省略する。
【００２６】
電源回路３−１は以下に述べる構成となっている。商用交流電源１００と電源回路３−１の入力段である電源トランスＴとの間には、リレーＲＹの接点Ｓとノンロックタイプのスイッチである電源「入」スイッチＳＷ１−１とが並列に接続されている。尚、ノンロックタイプのスイッチとは、定常状態がＯＦＦである、すなわち、外的エネルギーを受けてＯＮしても、その外的エネルギーが取り除かれるとＯＦＦとなるスイッチである。また、不図示の操作部からユーザが電源「入」スイッチＳＷ１−１をＯＮさせることができるようになっている。
【００２７】
ＮＰＮ型のトランジスタＱ１のコレクタはリレーＲＹのコイルＣを介して第１定電圧発生回路ＣＶ１の出力側に接続されており、また、トランジスタＱ１のエミッタはグランド（ダイオードブリッジＤのマイナス側）に接続されている。第２定電圧発生回路ＣＶ２で生成された電圧Ｖ２とグランドとの間には３つの抵抗Ｒ１、Ｒ２、Ｒ３が直列に接続されており、抵抗Ｒ２と抵抗Ｒ３との接続点にトランジスタＱ１のベースが接続されている。
【００２８】
ＮＰＮ型のトランジスタＱ２のコレクタは抵抗Ｒ１と抵抗Ｒ２との接続点に接続されており、また、トランジスタＱ２のエミッタはグランドに接続されている。負荷の動作を制御するマイコン２−１の出力端子Ｏ１とグランドとの間に２つの抵抗Ｒ４、Ｒ５が直列に接続されており、抵抗Ｒ４と抵抗Ｒ５との接続点にトランジスタＱ２のベースが接続されている。
【００２９】
第２定電圧発生回路ＣＶ２の出力側はノンロックタイプのスイッチである電源「切」スイッチＳＷ１−２を介してマイコン２−１の入力端子Ｉ１−１に接続されている。尚、不図示の操作部からユーザが電源「切」スイッチＳＷ１−２をＯＮさせることができるようになっている。
【００３０】
そして、マイコン２−１は、電源が供給され始めると、運転開始制御に移行し、また、入力端子Ｉ１−１へ入力される電圧がハイレベルに立ち上がると、運転停止制御に移行し、その後、運転停止制御が完了すると、出力端子Ｏ１から出力する電圧をハイレベルに切り換える。尚、マイコン２−１は、電源が供給され始めた段階では、出力端子Ｏ１から出力する電圧をローレベルとしている。
【００３１】
以上の構成により、リレーＲＹの接点ＳがＯＦＦである場合に、電源「入」スイッチＳＷ１−１がＯＮすると、電源と電源回路３−１の入力段（電源トランスＴ）との間が導通状態となって、電源が供給され始めるので、機器の運転が開始されるとともに、マイコン２−１の出力端子Ｏ１から出力される電圧がローレベルとなって、トランジスタＱ２がＯＦＦとなり、よって、トランジスタＱ１がＯＮするので、リレーＲＹのコイルＣに電流が流れ、リレーＲＹの接点ＳがＯＮする。これにより、電源「入」スイッチＳＷ１−１はノンロックタイプのスイッチであるためＯＦＦとなるが、電源と電源回路３−１の入力段との間は導通状態で維持され、電源の供給が続行される。
【００３２】
また、機器の運転中に電源「切」スイッチＳＷ１−２がＯＮすると、マイコン２−１の入力端子Ｉ１−１へ入力される電圧がハイレベルに立ち上がるので、機器の運転停止制御に移行し、その後、運転停止制御が完了すると、マイコン２−１の出力端子Ｏ１から出力される電圧がハイレベルとなる。これにより、トランジスタＱ２がＯＮとなるので、トランジスタＱ１がＯＦＦとなり、リレーＲＹのコイルＣには電流が流れなくなり、リレーＲＹの接点ＳがＯＦＦとなる。したがって、運転が停止した後は、電源と電源回路３−１の入力段との間が非導通状態となって、電源の供給が遮断されるので、待機中の消費電力はゼロとなり、また、安全性も向上する。
【００３３】
次に、本発明の第２実施形態である石油ファンヒータのブロック図を図２に示す。同図において、２−２は負荷群１の動作を制御するマイコン、３−２は負荷群１及びマイコン２−２に電源を供給する電源回路である。尚、電源回路３−２については図１に示した第１実施形態の石油ファンヒータにおける電源回路３−１と同一部分には同一符号を付して説明を省略する。また、マイコン２−２が行う運転開始制御及び運転停止制御の内容についても図６に示した従来の石油ファンヒータにおけるマイコン２が行うものと同一であるので説明を省略する。
【００３４】
電源回路３−２は以下に述べる構成となっている。商用交流電源１００と電源回路３−２の入力段である電源トランスＴとの間には、リレーＲＹの接点Ｓとロックタイプのスイッチである電源「入」スイッチＳＷ２−１とが並列に接続されている。第２定電圧発生回路ＣＶ２の出力側はロックタイプのスイッチである電源「切」スイッチＳＷ２−２を介してマイコン２−２の入力端子Ｉ２−１に接続されている。
【００３５】
電源「入」スイッチＳＷ２−１と電源「切」スイッチＳＷ２−２とは、例えば２回路スイッチで構成されており、連動してＯＮ／ＯＦＦが切り換わるようになっている。マイコン２−２の出力端子Ｏ２は上記第１実施形態におけるマイコン２−１と同じ接続関係となっている。
【００３６】
尚、ロックタイプのスイッチとは、外的エネルギーを受けてＯＮ（あるいはＯＦＦ）すると、その外的エネルギーが取り除かれてもＯＮ（あるいはＯＦＦ）を維持するスイッチである。また、不図示の操作部からユーザが電源「入」スイッチＳＷ２−１及び電源「切」スイッチＳＷ２−２のＯＮ／ＯＦＦを連動させて切り換えることができるようになっている。
【００３７】
そして、マイコン２−２は、電源が供給され始めると、運転開始制御に移行し、また、入力端子Ｉ２−１へ入力される電圧がハイレベルでなくなると、運転停止制御に移行し、その後、運転停止制御が完了すると、出力端子Ｏ２から出力する電圧をハイレベルに切り換える。尚、マイコン２−２は、電源が供給され始めた段階では、出力端子Ｏ２から出力する電圧をローレベルとしている。
【００３８】
以上の構成により、リレーＲＹの接点ＳがＯＦＦである場合に、電源「入」スイッチＳＷ２−１がＯＮすると、電源と電源回路３−２の入力段（電源トランスＴ）との間が導通状態となって、電源が供給され始めるので、機器の運転が開始されるとともに、マイコン２−２の出力端子Ｏ２から出力される電圧がローレベルとなって、トランジスタＱ２がＯＦＦとなり、よって、トランジスタＱ１がＯＮするので、リレーＲＹのコイルＣに電流が流れ、リレーＲＹの接点ＳがＯＮする。また、電源「入」スイッチＳＷ２−１がＯＮすると、電源「切」スイッチＳＷ２−２も連動してＯＮするので、マイコン２−２の入力端子Ｉ２−１へ入力される電圧はハイレベルとなる。
【００３９】
また、機器の運転中に電源「切」スイッチＳＷ２−２がＯＦＦすると、マイコン２−２の入力端子Ｉ２−１から入力される電圧はハイレベルでなくなるので、機器の運転停止制御に移行し、その後、運転停止制御が完了すると、マイコン２−２の出力端子Ｏ２から出力される電圧はハイレベルとなる。尚、電源「切」スイッチＳＷ２−２がＯＦＦすると、電源「入」スイッチＳＷ２−１も連動してＯＦＦするが、リレーＲＹの接点ＳがＯＮしているので、電源と電源回路３−２の入力段との間は導通状態で維持されており、電源の供給は続行されている。
【００４０】
そして、マイコン２−２の出力端子Ｏ２から出力される電圧がハイレベルになることにより、トランジスタＱ２がＯＮとなるので、トランジスタＱ１がＯＦＦとなり、リレーＲＹのコイルＣには電流が流れなくなり、リレーＲＹの接点ＳがＯＦＦとなる。したがって、運転が停止した後は、電源と電源回路３−２の入力段との間が非導通状態となって、電源の供給が遮断されるので、待機中の消費電力はゼロとなり、また、安全性も向上する。
【００４１】
その他には、電源「入」スイッチＳＷ２−１と電源「切」スイッチＳＷ２−２とを連動させているため、これらのスイッチのＯＮ／ＯＦＦをユーザが切り換えるために操作するボタン（操作部）を１つにすることができ、不図示の操作部をコンパクトにまとめることができる。また、ユーザからみれば、１つのボタンで運転を開始することもできるし、運転を停止することもできるので、操作性が向上する。
【００４２】
ところで、上記第２実施形態では、電源「入」スイッチＳＷ２−１と電源「切」スイッチＳＷ２−２とをロックタイプの２回路スイッチで構成しているが、電源「入」スイッチと電源「切」スイッチとをノンロックタイプの２回路スイッチで構成することもでき、その構成に関する部分についてのみ図３に基づき説明する。同図において、電源「入／切」スイッチＳＷ２はノーマルクローズ（以下、「ＮＣ」と呼ぶ）、ノーマルオープン（以下、「ＮＯ」と呼ぶ）、及び、コモン（以下、「Ｃ」と呼ぶ）の３端子スイッチからなる。尚、電源「入／切」スイッチＳＷ２は、定常状態では、ＮＣ端子とＣ端子との間がＯＮしている。
【００４３】
リレーＲＹの接点ＳがＯＮした状態で、電源「入／切」スイッチＳＷ２の押圧操作により、電源「入／切」スイッチＳＷ２のＮＣ端子とＣ端子との間が接続されると、電流制限用の抵抗Ｒ６を介してホトカプラＰＴの発光ダイオード１１に電流が流れるので、ホトカプラＰＴのトランジスタ１２がＯＮする。これにより、ホトカプラＰＴよりハイレベルの信号がマイコン２−２の入力端子Ｉ２−１に入力される。一方、電源「入／切」スイッチＳＷ２のＮＯ端子とＣ端子との間が接続された場合は、抵抗Ｒ６に電流が流れず、トランジスタ１２がＯＦＦするので、プルダウン抵抗Ｒ７を介して接続されている電源電圧によって、ローレベルの信号がマイコン２−２の入力端子Ｉ２−１に入力される。
【００４４】
すなわち、機器への電源供給が遮断された状態（リレーＲＹの接点がＯＦＦした状態）では、電源「入／切」スイッチＳＷ２が電源「入」スイッチとして機能し、機器への電源供給がなされている状態（リレーＲＹの接点がＯＮした状態）では、電源「入／切」スイッチＳＷ２が電源「切」スイッチとして機能するので、ユーザは同じ操作部で電源投入及び運転開始と運転停止及び電源遮断を行うことができる。
【００４５】
次に、本発明の第３実施形態である石油ファンヒータのブロック図を図４に示す。同図において、３−３は負荷群１及びマイコン２−２に電源を供給する電源回路である。本第３実施形態における電源回路３−３は上記第２実施形態における電源回路３−２において新たな機能を付加した構成であるので、これに関する部分についてのみ説明する。
【００４６】
電源回路３−３は以下に述べる構成となっている。第２定電圧発生回路ＣＶ２の出力側はロックタイプのスイッチである運転「入／切」スイッチＳＷ２−３を介してマイコン２−２の入力端子Ｉ２−２に接続されている。尚、不図示の操作部からユーザが運転「入／切」スイッチＳＷ２−３のＯＮ／ＯＦＦを切り換えることができるようになっている。
【００４７】
そして、マイコン２−２は、第２実施形態において示した動作に加えて、以下に述べる動作を行う。機器の運転中に入力端子Ｉ２−２へ入力される電圧がハイレベルからハイレベルでない状態に、または、ハイレベルでない状態からハイレベルに切り換わると、運転停止制御に移行し、その後、運転停止制御が完了しても、この場合は、出力端子Ｏ２からの出力をハイレベルに切り換えることなく、ローレベルに維持しておく。また、マイコン２−２は、電源が供給されている状態であって、機器の運転中でないときに、入力端子Ｉ２−２への入力がハイレベルからハイレベルでない状態に、または、ハイレベルでない状態からハイレベルに切り換わると、機器の運転を開始するように負荷の動作を制御する。
【００４８】
以上の構成により、機器の運転中に運転「入／切」スイッチＳＷ２−３のＯＮ／ＯＦＦが切り換わると、マイコン２−２の入力端子Ｉ２−２へ入力される電圧はハイレベルからハイレベルでない状態に、または、ハイレベルでない状態からハイレベルに切り換わって、機器の運転が停止する。そして、この場合は、電源「切」スイッチＳＷ２−２がＯＦＦすることにより、機器の運転が停止した場合とは異なり、マイコン２−２の出力端子Ｏ２から出力される電圧はローレベルに維持されているので、リレーＲＹの接点ＳはＯＮのままであり、電源と電源回路３−３の入力段との間は導通状態で維持され、電源の供給が続行されている。このため、例えば時刻や温度を表示するなどの付属の機能をアクティブにすることができる。
【００４９】
したがって、ユーザ側からみれば、機器の運転を停止させるに際して、電源「切」スイッチＳＷ２−２をＯＦＦさせて行うか、運転「切」スイッチＳＷ２−３のＯＮ／ＯＦＦを切り換えて行うかによって、待機中の消費電力をゼロにするか、待機中にもあえて付属の機能をアクティブにしておくかを選択することができる。
【００５０】
また、運転「入／切」スイッチＳＷ２−３のＯＮ／ＯＦＦを切り換えることによって、機器の運転を停止させた場合は、運転「入／切」スイッチＳＷ２−３のＯＮ／ＯＦＦを切り換えることによって、機器の運転を開始させることができる。
【００５１】
尚、マイコン２−２が、入力端子Ｉ２−１へ入力される電圧がハイレベルでなくなった際に、すでに運転停止制御を実行中である場合は、その実行中の運転停止制御が完了すると、出力端子Ｏ２から出力する電圧をハイレベルに切り換え、また、すでに機器の運転が停止している場合は、出力端子Ｏ２から出力する電圧をハイレベルに切り換えることだけを行うようにしておけば、運転「入／切」スイッチＳＷ２−３をＯＮ／ＯＦＦを切り換えることによって、機器の運転を停止させた場合であっても、その後に、電源「切」スイッチＳＷ２−２をＯＦＦさせることによって、リレーＲＹの接点ＳがＯＦＦとなり、電源と電源回路３−３との間が非導通状態となって、電源の供給が遮断されるので、待機中に付属の機能がアクティブである状態から待機中の消費電力がゼロである状態に切り換えることができる。
【００５２】
また、図５に示すように、電源回路３−４を第２定電圧発生回路ＣＶ２の出力側をノンロックタイプのスイッチである運転「入／切」スイッチＳＷ１−３を介してマイコン２−１の入力端子Ｉ１−２に接続して、第１実施形態における電源回路３−１に新たに運転「入／切」スイッチＳＷ１−３を設けた構成にするとともに、機器の運転中に入力端子Ｉ１−２へ入力される電圧がハイレベルに立ち上がると、運転停止制御に移行し、その後、運転停止制御が完了しても、この場合は、出力端子Ｏ１から出力する電圧をハイレベルに切り換えることなく、ローレベルに維持しておき、また、電源が供給されている状態であって、機器の運転を行っていないときに、入力端子Ｉ１−２へ入力される電圧がハイレベルに立ち上がると、運転開始制御に移行するという動作を、上記第１実施形態において示した動作に加えてマイコン２−１が行うようにしておくことによっても、上記第３実施形態に特有の機能を実現することができる。
【００５３】
さらに、上記図４及び図５に示した実施形態における運転「入／切」スイッチＳＷ２−３、ＳＷ１−３を運転モード切り換えスイッチと共用させることにより、不図示の操作パネルをコンパクトにまとめることができ、また、運転「入／切」スイッチの操作ボタンは、他の操作ボタンよりも使用頻度が高く、操作性を良くするために大きくするのが一般的であるので、運転モード切り換えの操作性が向上する。
【００５４】
ここで、運転「入／切」スイッチＳＷ２−３、ＳＷ１−３を運転モード切り換えスイッチと共用させるためには、マイコン２−２、２−１の入力端子Ｉ２−２、Ｉ１−２に入力される切り換え信号をカウンターでカウントし、例えば、カウント「０」の場合は運転「切」、カウント「１」の場合は８畳運転、カウント「２」の場合は６畳運転が実行されるようにし、カウンターは「０〜２」を循環するようにすれば良い。また、電源投入時の初期値は電源投入と同時に運転を開始させる場合は「１」に、電源を投入しただけでは運転を開始させず、運転「入／切」スイッチを操作することにより運転を開始させる場合は「０」にする。そして、操作ボタンの近傍にはカウント値に対応する運転モード（運転停止も含む）の表示を発光素子（ＬＥＤ）の点灯で行うようにする。
【００５５】
尚、運転モードの切り換えとしては、上記した畳数運転の切り換え以外に、通常運転と１／ｆ省エネ運転の切り換えも考えられ、何れにしても運転開始時は高出力の運転を行って部屋を暖め、暖まった後は運転「入／切」スイッチの押圧操作によって低出力の運転に切り換えることによって省エネを計り、更なる運転「入／切」スイッチの押圧操作によって運転を停止させるようにすれば良い。
【００５６】
【発明の効果】
以上説明したように、請求項１に記載の電気機器によれば、機器の運転を電源「切」スイッチで停止すると、停止後制御を行った後に、機器への電源供給が完全に遮断されるので、待機時の消費電力をゼロにすることができ、また、安全性も向上する。
【００５７】
また、請求項１に記載の電気機器において、前記電源「入」スイッチと前記電源「切」スイッチのＯＮ／ＯＦＦを切り換えるための操作部を共用にすることにより、操作パネルをコンパクトにまとめることができる上、ユーザは同じ操作部で電源投入及び運転開始と運転停止及び電源遮断を行うことができるので、操作性が向上する。
【００５８】
また、請求項２に記載の電気機器によれば、電源「切」スイッチによる運転停止で待機時の消費電力をゼロに、運転「切」スイッチによる運転停止で待機時に時計表示などの機能をアクティブにでき、操作性の良い選択使用ができる。
【００５９】
また、請求項２に記載の電気機器において、前記制御手段が、前記運転「切」信号を受けた回数をカウントし、そのカウント値によっては、当該電気機器の運転モードを切り換えるように制御すれば、操作パネルをコンパクトにまとめることができ、また、一般的に運転「切」スイッチの操作部は他の操作部より大きいので、運転モード切り換えの操作性が向上する。
【００６０】
また、上記記載の電気機器が石油ファンヒータである場合に、切り換えられる運転モードを通常の運転モードとエネルギーの消費量が少ない省エネ運転モードとし、運転開始時は高出力の運転を行って部屋を速く暖め、暖まった後は運転「切」スイッチの操作によって省エネ運転モードに切り換わるようにしておけば、省エネ運転モードの設定操作が容易となり、また、運転停止操作の前後に省エネ運転モードを通過しなければならないことと相俟って、省エネ促進に合致したものとなる。
【図面の簡単な説明】
【図１】本発明の第１実施形態である石油ファンヒータのブロック図及び電源回路の構成を示す図である。
【図２】本発明の第２実施形態である石油ファンヒータのブロック図及び電源回路の構成を示す図である。
【図３】本発明の他の実施形態である石油ファンヒータのブロック図及び電源回路の構成を示す図である。
【図４】本発明の第３実施形態である石油ファンヒータのブロック図及び電源回路の構成を示す図である。
【図５】本発明の他の実施形態である石油ファンヒータのブロック図及び電源回路の構成を示す図である。
【図６】従来の石油ファンヒータのブロック図及び電源回路の構成を示す図である。
【図７】負荷群の概略構造を示す図である。
【図８】負荷群の概略構造を示す図である。
【符号の説明】
１    負荷群
２−１、２−２    マイコン
３−１、３−２、３−３、３−４    電源回路
Ｔ    電源トランス
Ｄ    ダイオードブリッジ
ＣＶ１    第１定電圧回路
ＣＶ２    第２定電圧回路
ＳＷ１−１    電源「入」スイッチ（ノンロックタイプ）
ＳＷ１−２    電源「切」スイッチ（ノンロックタイプ）
ＳＷ１−３    運転「入／切」スイッチ（ノンロックタイプ）
ＳＷ２    電源「入／切」スイッチ（ノンロックタイプ）
ＳＷ２−１    電源「入」スイッチ（ロックタイプ）
ＳＷ２−２    電源「切」スイッチ（ロックタイプ）
ＳＷ２−３    運転「入／切」スイッチ（ロックタイプ）
Ｓ    リレーの接点
Ｃ    リレーのコイル
Ｑ１、Ｑ２    ＮＰＮ型のトランジスタ
Ｒ１、Ｒ２、Ｒ３、Ｒ４、Ｒ５、Ｒ６、Ｒ７    抵抗
ＰＴ    ホトカプラ
１１    発光ダイオード
１２    トランジスタ
１０１    電磁ポンプ
１０２    気化ヒータ
１０３    点火ヒータ
１０４    ノズル
１０５    ソレノイドニードル
１０６    オイルタンク
１０７    灯油
１０８    送油パイプ
１０９    気化器
１１０    バーナ
１１１    フレームセンサ
１１２    対流送風機
【図１】
0003611443.tif 000002
【図２】
0003611443.tif 000003
【図３】
0003611443.tif 000004
【図４】
0003611443.tif 000005
【図５】
0003611443.tif 000006
【図６】
0003611443.tif 000007
【図７】
0003611443.tif 000008
【図８】
0003611443.tif 000009